(57)【要約】【課題】  原稿圧着板を開いたときに、トルク制御手段の圧縮コイルスプリングなどの弾性手段、或はこの弾性手段とスライダーやカムスライダーの全部或は一部を覆うことが出来た上で、外観上もすっきりとした印象を与えることの出来る、原稿圧着板開閉装置を提供する。【解決手段】  事務機器の装置本体へ取り付けられる底板とこの底板の両側より立設させた両側板を有する取付部材と、この取付部材の両側板にヒンジピンを介して回転可能に取り付けられる両側板を有する支持部材と、この支持部材に収装される弾性手段を有し当該支持部材の自由端側と前記取付部材の側に設けた受圧部材との間に設けられたトルク制御手段と、を有する原稿圧着板開閉装置において、前記支持部材に前記トルク制御手段の少なくとも弾性手段を覆うカバー部を設けることで解決した。【選択図】  図１
2011107485.tif 000002
【特許請求の範囲】
【請求項１】
事務機器の装置本体へ取り付けられる取付部材と、この取付部材にヒンジピンを介して回転可能に取り付けられる両側板を有し原稿圧着板を直接或は間接的に支持する支持部材と、この支持部材に収装される弾性手段を有し当該支持部材の自由端側と前記取付部材の側に設けた受圧部材との間に当該支持部材を原稿圧着板の開成方向へ回転付勢すべく設けられたトルク制御手段と、を有する原稿圧着板開閉装置において、前記支持部材に前記トルク制御手段の少なくとも弾性手段を覆うカバー部を設けたことを特徴とする、原稿圧着板開閉装置。
【請求項２】
前記取付部材は、底板に取り付けた取付脚部を有し、この取付脚部を前記装置本体に設けた挿通孔へ上下方向へスライド可能に挿入させたものであることを特徴とする、請求項１に記載の原稿圧着板開閉装置。
【請求項３】
前記トルク制御手段は、前記支持部材に収装されこの支持部材の自由端側に設けられた作動部材に当接するスライダーと、前記支持部材に収装され前記取付部材の側に設けられた受圧部材に当接するカムスライダーと、このカムスライダーと前記スライダーの間に弾設させた弾性手段とで構成するか、或は前記支持部材に設けた頂板と、前記支持部材に収装され前記取付部材の側に設けられた受圧部材に当接するカムスライダーと、このカムスライダーと前記頂板の間に弾設させた弾性手段とで構成したことを特徴とする、請求項１に記載の原稿圧着板開閉装置。
【請求項４】
前記支持部材の両側板の自由端側にその両側板を連結ピンを介して前記支持部材の回転方向とは逆方向へ回転可能となるように取り付けたリフト部材を有し、このリフト部材に作動部材を設け、前記トルク制御手段をこの作動部材と前記受圧部材との間にスライダーとカムスライダーを介して設けたことを特徴とする、請求項１に記載の原稿圧着板開閉装置。
【請求項５】
前記支持部材の両側板の自由端側にその両側板を連結ピンを介して前記支持部材の回転方向とは逆方向へ回転可能となるように取り付けたリフト部材を有し、このリフト部材を前記連結ピンに環巻きさせた捩じりコイルスプリングで前記支持部材の回転方向とは逆方向へ回転可能となるように付勢させると共に、前記トルク制御手段を前記支持部材に設けた頂板と前記受圧部材との間に設けたことを特徴とする、請求項１に記載の原稿圧着板開閉装置。
【請求項６】
前記作動部材は、前記リフト部材の両側板間に取り付けたピン状のもの、前記リフト部材の頂板に取り付けた独立の作動部材、或は前記頂板に設けた作動部材のどれか１つであることを特徴とする、請求項１に記載の原稿圧着板開閉装置。
【請求項７】
前記受圧部材は、前記取付部材の両側板間に取り付けたピン状のもの、カム状のもの、回転するものでピン状或はローラー状のものの、どれか１つであることを特徴とする、請求項１に記載の原稿圧着板開閉装置。
【請求項８】
前記支持部材のカバー部は、前記支持部材の前記両側板から折り曲げられて形成されるものか、前記両側板の片方のものから他方の側板に向けて折り曲げられるものか、或は頂板より折り曲げて形成されるものかの、どれか１つであることを特徴とする、請求項１に記載の原稿圧着板開閉装置。
【請求項９】
前記支持部材のカバー部は、前記トルク制御手段の全部を覆うように形成されていることを特徴とする、請求項１に記載の原稿圧着板開閉装置。
【請求項１０】
請求項１乃至９のいずれか１項に記載の原稿圧着板開閉装置を装置本体と原稿圧着板との間に設けたことを特徴とする、事務機器。
【発明の詳細な説明】
【技術分野】
【０００１】
本発明は、複写機、印刷機、ファクシミリ、スキャナー等の事務機器に用いて好適な原稿圧着板開閉装置並びにこの原稿圧着板開閉装置を用いた事務機器に関するものである。
【背景技術】
【０００２】
従来、図２１に示したように、この種の原稿圧着板開閉装置１００で、原稿自動送り装置付の大型で重量のある原稿圧着板を開閉するものの多くは、金属製プレートをプレス加工することによって作ったところの底板１０１ａの両側部より折り曲げた両側板１０１ｂ、１０１ｂを有する取付部材１０１と、この取付部材１０１の両側板１０１ｂ、１０１ｂへそれ自身の天板１０２ａの両側部より折り曲げて形成した両側板１０２ｂ、１０２ｂを図示してないヒンジピンを介して回転可能に取り付けた、同じく金属製プレートをプレス加工して作った原稿圧着板の支持部材１０２とを有しており、この支持部材１０２と取付部材１０１との間に当該支持部材１０２の両側板１０２ｂ、１０２ｂから内側へ折り曲げた一対の抱持片１０２ｃ、１０２ｃで抱えて保持させたスライダー１０３や圧縮コイルスプリングから成る弾性手段１０４、及び舌片１０５ａを有するカムスライダー１０５から成る支持部材１０２のトルク制御手段１０６が設けられている。尚、指示記号１０７のものリフト部材、１０８のものは連結ピン、１０９のものは作動部材、そして指示記号１１０のものは受圧部材である。
【０００３】
かかる構成の原稿圧着板開閉装置は、とくに原稿圧着板を開いたときに支持部材の前面側からトルク制御手段が露出し、外観上体裁が悪い上に、原稿圧着板置の装置本体に対する組付け時や修理時、さらには原稿圧着板の開閉操作時に弾性手段で手を挟んだり、或は原稿が潤滑油に触れて汚れてしまうなどの問題があるため、下記特許文献１に記載されたような構成の原稿圧着板開閉装置が提案されている。
【０００４】
この特許文献１に記載の原稿圧着板開閉装置は、トルク制御手段のスライダーにバネカバーを設け、このバネカバーで弾性手段を覆い隠すものである。
【０００５】
【特許文献１】特開２００７−２１２９１０号公開特許公報
【発明の開示】
【発明が解決しようとする課題】
【０００６】
上記原稿圧着板開閉装置の原稿圧着板を開くと、スライダーに設けたバネカバーがトルク制御手段の圧縮コイルバネから成る弾性手段の部分を覆い隠すことが出来るが、このバネカバーの部分が支持部材の外部へ突出する構成となることから、とくに正面から見た場合に、このバネカバーの部分や支持部材のスライダーを抱える抱持片の部分が外部へ露出し、無骨でごてごてとした印象を与え、デザイン上の好ましくないという問題が新たに発生した。
【０００７】
本発明はかかる問題点を解決するもので、その目的とするところは、原稿圧着板開閉装置において、原稿圧着板を開いたときに、トルク制御手段の圧縮コイルスプリングなどの弾性手段、或はこの弾性手段とスライダーやカムスライダーの全部或は一部を覆うことが出来た上で、外観上もすっきりとした印象を与えることの出来る、原稿圧着板開閉装置を提供せんとするにある。
【課題を解決するための手段】
【０００８】
前記目的を達成するために本発明の原稿圧着板開閉装置は、事務機器の装置本体へ取り付けられる取付部材と、この取付部材にヒンジピンを介して回転可能に取り付けられる両側板を有し原稿圧着板を直接或は間接的に支持する支持部材と、この支持部材に収装される弾性手段を有し当該支持部材の自由端側と前記取付部材の側に設けた受圧部材との間に当該支持部材を原稿圧着板の開成方向へ回転付勢すべく設けられたトルク制御手段と、を有する原稿圧着板開閉装置において、前記支持部材に前記トルク制御手段の少なくとも弾性手段を覆うカバー部を設けたことを特徴とする。
【０００９】
その際に本発明は、前記取付部材に、その底板に取り付けた取付脚部を設け、この取付脚部を前記装置本体に設けた挿通孔へ上下方向へスライド可能に挿入させたものとすることが出来る。
【００１０】
本発明はまた、前記トルク制御手段を、前記支持部材に収装されこの支持部材の自由端側に設けられた作動部材に当接するスライダーと、前記支持部材に収装され前記取付部材の側に設けられた受圧部材に当接するカムスライダーと、このカムスライダーと前記スライダーの間に弾設させた弾性手段とで構成するか、或は前記支持部材に設けた頂板と、前記支持部材に収装され前記取付部材の側に設けられた受圧部材に当接するカムスライダーと、このカムスライダーと前記頂板の間に弾設させた弾性手段とで構成したことを特徴とする。
【００１１】
本発明はさらに、前記支持部材の両側板の自由端側にその両側板を連結ピンを介して前記支持部材の回転方向とは逆方向へ回転可能となるように取り付けたリフト部材を設け、このリフト部材に作動部材を設け、前記トルク制御手段をこの作動部材と前記受圧部材との間にスライダーとカムスライダーを介して設けたことを特徴とする。
【００１２】
本発明はさらに、前記支持部材の両側板の自由端側にその両側板を連結ピンを介して前記支持部材の回転方向とは逆方向へ回転可能となるように取り付けたリフト部材を設け、このリフト部材を前記連結ピンに環巻きさせた捩じりコイルスプリングで前記支持部材の回転方向とは逆方向へ回転可能となるように付勢させると共に、前記トルク制御手段を前記支持部材に設けた頂板と前記受圧部材との間に設けたことを特徴とする。
【００１３】
本発明はまた、前記作動部材を、前記リフト部材の両側板間に取り付けたピン状のもの、前記リフト部材の頂板に取り付けた独立の作動部材、或は前記頂板に設けた作動部材のどれか１つとすることを特徴とする。
【００１４】
本発明はさらに、前記受圧部材を、前記取付部材の両側板間に取り付けたピン状のもの、カム状のもの、回転するものでピン状或はローラー状のものの、どれか１つとすることを特徴とする
【００１５】
本発明はさらに、前記支持部材のカバー部を、前記支持部材の前記両側板から折り曲げられて形成されるものか、前記両側板の片方のものから他方の側板に向けて折り曲げられたものか、或は頂板より折り曲げて形成されるものかの、どれか１つとすることを特徴とする。
【００１６】
本発明はさらに、前記支持部材のカバー部を、前記トルク制御手段の全部を覆うように構成することを特徴とする。
【００１７】
そして本発明は、事務機器の装置本体と原稿圧着板との間に上記各原稿圧着板開閉装置を設けたことを特徴とするものである。
【発明の効果】
【００１８】
上述したように、事務機器の装置本体と原稿圧着板との間にトルク制御手段を有する本発明に係る原稿圧着板開閉装置を取り付けると、原稿圧着板を開いても原稿圧着板開閉装置を構成する支持部材より一体的に設けたカバー部により、トルク制御手段の弾性手段、或はこの弾性手段とスライダーやカムスライダーの全部或は一部が覆い隠されるので、原稿圧着板を開いて原稿圧着板開閉装置を正面側から見たときに、トルク制御手段の部分がすっきりとした外観となり、操作時、或は装置本体の保守点検時に弾性手段で手を挟んだり、原稿が汚れたりするのを防止することが出来るものである。
【図面の簡単な説明】
【００１９】
【図１】本発明に係る原稿圧着板開閉装置の斜視図である。
【図２】図１に示した原稿圧着板開閉装置の原稿圧着板閉成時の側面図である。
【図３】図２に示した原稿圧着板開閉装置の縦断面図である。
【図４】図１に示した原稿圧着板開閉装置の動作を説明する側面図である。
【図５】図４に示した原稿圧着板開閉装置の縦断面図である。
【図６】図２のＡ−Ａ線断面図である。
【図７】図１に示した原稿圧着板開閉装置の動作を説明する縦断面図である。
【図８】図１に示した原稿圧着板開閉装置の支持部材を示し、(ａ)図はその一方の側から見た斜視図であり、(ｂ)図は他方の側から見た斜視図である。
【図９】本発明にかかる原稿圧着板開閉装置の他の実施例を示す斜視図である。
【図１０】図９に係る原稿圧着板開閉装置の動作を説明する縦断面図である。
【図１１】図９に係る原稿圧着板開閉装置の支持部材を示し、(ａ)図はその一方の側から見た斜視図であり、(ｂ)図は他方の側から見た斜視図である。
【図１２】本発明に係る原稿圧着板開閉装置の支持部材のさらに他の実施例を示す斜視図である。
【図１３】本発明に係る原稿圧着板開閉装置の支持部材のさらに他の実施例を示す斜視図である。
【図１４】本発明に係る原稿圧着板開閉装置のさらに他の実施例を示す正面図である。
【図１５】図１４に係る原稿圧着板開閉装置の縦断面図である。
【図１６】本発明に係る原稿圧着板開閉装置のさらに他の実施例を示す縦断面図である。
【図１７】本発明に係る原稿圧着板開閉装置のさらに他の実施例を示す正面図である。
【図１８】図１７に係る原稿圧着板開閉装置の縦断面図である。
【図１９】支持部材のさらに他の実施例を示す斜視図である。
【図２０】本発明に係る原稿圧着板開閉装置のさらに他の実施例を示す側面図である。
【図２１】従来の原稿圧着板開閉装置の斜視図である。
【発明を実施するための形態】
【００２０】
本発明を実施するための最良の形態は、事務機器の装置本体へ取り付けられる取付部材と、この取付部材にヒンジピンを介して回転可能に取り付けられる両側板を有し原稿圧着板を直接或は間接的に支持する支持部材と、この支持部材に収装される弾性手段を有し当該支持部材の自由端側と前記取付部材の側に設けた受圧部材との間に当該支持部材を原稿圧着板の開成方向へ回転付勢すべく設けられたトルク制御手段と、を有する原稿圧着板開閉装置において、前記支持部材に前記トルク制御手段の少なくとも弾性手段を覆うカバー部を設けたものである。
【００２１】
取付部材は、その底板を装置本体の後部上端へ取り付けるものもあるが、底板に取付脚部を設け、この取付脚部を装置本体の上部後端部に設けた挿通孔へ上下方向へスライド可能に取り付けるものもある。この場合には支持部材の自由端に連結ピンを介して支持部材の回転方向とは逆の方向へ回転可能となるように取り付けるリフト部材は省略される。また、この場合にはトルク制御手段のスライダーは省略されることになりその構成も異なることになる。さらに、取付部材の側に設けられる受圧部材としては、当該取付部材の両側板の間に取り付けられた固定或は回転式のピン状のもの、合成樹脂製のカム状のもの、ローラー状のものとがある。
【００２２】
さらに、この発明を実施する原稿圧着板開閉装置にあっては、支持部材が頂板を有し、この頂板と取付部材に取り付けた受圧部材との間にトルク制御手段を設け、リフト部材を支持部材の自由端側に連結ピンを介して当該支持部材とは逆の方向へ回転可能となるように取り付け、連結ピンに環巻きさせた捩じりコイルスプリングでリフト部材を支持部材と重なる方向へ回転付勢させるものもある。
【００２３】
本明細書において、支持部材の自由端側とは、支持部材に頂板を設けたものの場合にはこの頂板の部分を指し、リフト部材に作動部材を取り付けたものはこの作動部材の部分を指している。また、作動部材とは、支持部材に頂板を設けたものにあってはこの頂板の部分を指し、リフト部材が連結ピンを介して支持部材に回転可能に取り付けられたものの場合は、連結ピンを介して旋回するリフト部材の両側板の間に設けた金属製のピン状のもの、リフト部材に設けられた頂板と両側板の間に固定された合成樹脂製のもの、リフト部材に設けた頂板に取り付けた断面略Ｕ字形状のもの等が含まれる。
【００２４】
また、支持部材に設けられるカバー部は、要するに支持部材自身に設けられればその構成及び態様を問わない。後述するさまざまな実施例は、一例であって、実施例のものに限定されない。
【００２５】
以下、本発明を複写機の原稿圧着板開閉装置に実施した場合について説明するが、本発明は、複写機以外の印刷機、ファクシミリ、スキャナー等の事務機器の原稿圧着板開閉装置にもそのまま実施できる。
【実施例１】
【００２６】
図１〜図７は本発明に係る原稿圧着板開閉装置の一例を示す図である。図面によれば、この実施例１に係る原稿圧着板開閉装置１は、装置本体２に取り付けられる取付部材３と、この取付部材３に回転可能にヒンジピン４を介して連結され、原稿圧着板６を支持する支持部材５と、原稿圧着板６の後端部側へ取り付けられ、支持部材５の自由端側に連結ピン７を介して支持部材５とは逆の方向へ回動可能となるように取り付けられたリフト部材８と、このリフト部材８が連結ピン７を介して旋回する側に取り付けられたピン状の作動部材９と、取付部材３の両側板３ｂ、３ｂ間に取り付けられた同じくピン状の受圧部材１０と、この受圧部材１０と作動部材９との間に設けられたトルク制御手段１１とで構成されている。
【００２７】
このトルク制御手段１１は、支持部材５内の取付部材３側に摺動可能に保持され受圧部材１０にそのカム部１２ａ側を当接させて成るカムスライダー１２と、同じく支持部材５内の連結ピン７側に当該連結架された作動部材９に一端部側を当接させて成るスライダー１３と、支持部材５内に収装されスライダー１３とカムスライダー１２との間へ弾設された圧縮コイルスプリングから成る弾性手段１４とで構成されている。
【００２８】
取付部材３は、装置本体２に取り付けられる底板３ａと、底板３ａの両側端部からそれぞれ底板３ａに対して直交する方向（略直交する方向も含む）へ折り曲げた両側板３ｂ、３ｂと、底板３ａの後端部から底板３ａに対して直交する方向（略直交する方向も含む）に延びる略矩形状の後板３ｃと、両側板３ｂ、３ｂの前端部側に形成された湾曲凹部３ｄ、３ｄとから構成され、後板３ｃ側にストッパー部材３ｅが取付ネジ３ｆで取り付けられている。底板３ａは、略矩形状に形成され、取付ネジ２ａと段付ネジ２ｂで装置本体２に取り付けるための取付孔３ｇと３ｈが設けられている。
【００２９】
支持部材５は、とくに図８の（ａ）、（ｂ）図に示したように、上板５ａと、上板５ａの両側端部からそれぞれ上板５ａに対して直交する方向に下方に向けて折り曲げられた両側板５ｂ、５ｂと、この両側板５ｂ、５ｂの先端部を互いに対向する側に９０°折り曲げることによって形成した一対のカバー片５ｃ、５ｃとから成るカバー部５ｄと、から構成されている。尚、両側板５ｂ、５ｂには、さらにヒンジピン４用の取付孔５ｅ、５ｅと、連結ピン７用の取付孔５ｆ、５ｆと、組立時にカムスライダーを止めておくストッパーピン(図示せず)を挿通させる挿通孔５ｇ、５ｇ、さらに原稿圧着板６のリフトアップ時に連結ピン７が入り込む切欠部５ｈ、５ｈが設けられている。支持部材５は取付部材３の両側板３ｂ、３ｂの外側へその両側板５ｂ、５ｂをヒンジピン４を介して回動可能に取り付けられている。尚、とくに図６に示したように、取付部材３の両側板３ｂ、３ｂの外側と支持部材５の両側板５ｂ、５ｂの内側との間には、間隙が設けられているが、この間隙には図示してないスペーサーが取り付けられている。
【００３０】
リフト部材８は、原稿圧着板６の後端側にビス等で取り付けられる上板８ａと、この上板８ａの両端部からそれぞれ上板８ａに対して直交する下方向（略直交する方向も含む）に折り曲げられて形成された両側板８ｂ、８ｂと、この両側板８ｂ、８ｂから外側へ折り曲げたところの原稿圧着板６を取り付ける取付板８ｃ、８ｃとから成る略凸状のものであり、その両側板８ｂ、８ｂを支持部材５の両側板５ｂ、５ｂの自由端側の外側に連結ピン７を介して支持部材５の回転方向とは逆方向に回動可能に取り付けられることにより、支持部材５を覆っている。
【００３１】
トルク制御手段１１のカムスライダー１２とスライダー１３は、それぞれ弾性手段１４の両端部側を収容させる収容部１２ｂ、１３ａが設けられ、カムスライダー１２のヒンジピン４側にはカム部１２ａが設けられると共に、上述したように受圧部材１０のグリスを塗布させた部分を外部から覆い隠す舌片１２ｃが設けられており、さらに、とくに弾性手段１４の前面部側はカバー部５ｄによって覆われている。カバー部５ｄのカバー片５ｃ、５ｃは中央部で互いに突き合わされるようにその幅が同じであるが、その長さは異なっている。しかしながら、カバー片５ｃ、５ｃの幅と長さに限定はない。
【００３２】
弾性手段１４はスライダー１３に摺動可能に圧接している作動部材９を押し、リフト部材８を連結ピン７を支点に支持部材５と重なり合う方向へ回動付勢させると共に、支持部材５を原稿圧着板６の開成方向へ回動付勢させている。また、カムスライダー１２は、そのカム部１２ａを受圧部材１０に摺圧接させることにより、原稿圧着板６の開閉動作に伴う支持部材５の回転動作と共に受圧部材１０の表面を摺動して、支持部材５の回転動作を制御し、かつ原稿圧着板６の開閉動作を制御するものである。
【００３３】
したがって、この摺圧接を滑らかなものにするため、受圧部材１０の表面とカム部１２ａの表面には、図示してないが、潤滑グリスが塗布されている、また、弾性手段１４と収容部１２ｂ、１３ａとの間にも潤滑グリスが塗布されている。弾性手段１４は実施例では１本であるがこれを複数本並列させたり、或は軸方向へ重ねたりして使用することがあり、それは原稿圧着板開閉装置１にかかる原稿圧着板６の荷重により任意に選択される。尚、指示記号１７のものは高さ調節用の調節ネジである。
【００３４】
次に、本発明に係る原稿圧着板開閉装置１の作用について説明する。図２と図３に示したように、装置本体２に対して原稿圧着板６が閉じられた閉成状態において、トルク制御手段１１の弾性手段１４は最大限に圧縮された状態にあって、スライダー１３に当接している作動部材９を介してリフト部材８は支持部材５と重なり合う方向へ回転付勢されている。このとき、原稿圧着板６は弾性手段１４により開成方向へ付勢されているが、原稿圧着板６の重量が勝るため、閉成状態を保ちコンタクトガラス２ｃへ圧接している。したがって、薄物原稿の場合には原稿圧着板６の重量により当該原稿はコンタクトガラス２ｃ上に圧着されることになる。
【００３５】
この閉成状態から原稿圧着板６を開くと、ヒンジピン４を支点に支持部材５と共に回転して原稿圧着板６は開かれるが、開かれるうちに原稿圧着板６が支持部材５に及ぼす荷重が減少することから、弾性手段１４の弾力により原稿圧着板６は軽く開かれ、３０°から３５°の原稿をコンタクトガラス２ｃ上へ載置する開成角度においては、摺動部分のフリクションも加わって、原稿圧着板６から手を離しても当該原稿圧着板６は自然落下することがない。
【００３６】
こうして薄物原稿１５の場合には、当該薄物原稿１５をコンタクトガラス２ｃ上へ載置、或は交換して原稿圧着板６を閉じてスイッチを押すことにより手動による複写が可能となるものである。自動で複写を行う場合には、図示してない原稿自動送り装置を用いて複写を行い、原稿圧着板６を開閉させる必要はない。
【００３７】
図７に示したように、原稿が本のように厚い厚物原稿１６の場合には、原稿圧着板６を必要な開成角度まで開いて、この厚物原稿１６をコンタクトガラス２ｃ上に置き、原稿圧着板６を閉じると、厚物原稿１６の後端部に原稿圧着板６の下面が当るのでさらに力を加えて押し下げると、原稿圧着板６がリフト部材８と共にトルク制御手段１１の弾性手段１４の弾力に抗して反転し、厚物原稿１６の上面を平行に覆うことに成ることから、外光が装置本体２の露光系に進入して複写を妨げることがない。
【００３８】
この時に原稿圧着板６は通常の薄物原稿１５のときよりも大きく開かれることから、トルク制御手段１１の部分が外部へ露出することになるが、図１に示したように、このトルク制御手段１１の弾性手段１４の部分はカバー部５ｄによって覆われていることから、外部から見た印象も良くなり、手を挟んだり、原稿が弾性手段１４に塗布されている潤滑オイルやその他の錆止め用の油等で汚れてしまうことがないものである。
【００３９】
原稿圧着板６は、装置本体２の修理点検時などに図４と図５に示したように最大角度９０°まで開かれて支持部材５の後端部がストッパー部材３ｅに当接することによって停止させられるが、この際にも外部へ露出するトルク制御手段１１のとくに弾性手段１４の部分は、カバー部５ｄで覆われているために、上記と同様なことが言えることになる。また、トルク制御手段１１のカムスライダー１２は、最大開成角度に至る前にヒンジピン４に当接してスライド動作を中止し、受圧部材１０との間に間隙が生じることになる。
【実施例２】
【００４０】
図９乃至図１１は、本発明に係る原稿圧着板開閉装置の他の実施例を示す。図面によればこの実施例２に係る原稿圧着板開閉装置２０は、支持部材２１の構成が実施例１のものと異なるのみで、他の構成は同じであるので詳しい説明は省略する。指示記号の同じものは実施例１のものと同じ部材を表している。図面によれば、とくに図１１（ａ）、（ｂ）図に示したように、支持部材２１のトルク制御手段１１の弾性手段１４を覆うカバー部２１ａは、底板として形成されており、この底板の両端部から両側板２１ｂ、２１ｂが上方へ折り曲げられて設けられている。この両側板２１ｂ、２１ｂの上端縁から内側へ折り曲げられて一対の上板片２１ｃ、２１ｃが設けられている。そして、このカバー部２１ａでトルク制御手段１１の弾性手段１４が覆われている。尚、この支持部材２１の指示記号２１ｄ、２１ｄのものはヒンジピン用の取付孔であり、２１ｅ、２１ｅのものは連結ピン用の取付孔であり、２１ｆ、２１ｆのものは挿通孔であり、２１ｇ、２１ｇのものは切欠部であり、それぞれ指示記号は異なっても実施例１のものと同じである。また、この実施例２のものは、支持部材２１がちょうど図２１の従来技術の支持部材１０２を逆の形で用いたものとなっている。このように実施しても本発明の目的は達成できる。
【実施例３】
【００４１】
図１２は支持部材のさらに他の実施例を示す。この実施例３に係る支持部材２５は、天板２５ａと、この天板２５ａの両側部より折り曲げた両側板２５ｂ、２５ｂと、これらの両側板２５ｂ、２５ｂの一方の側板２５ｂから折り曲げてその先端側を他方の側板２５ｂへ当接固定させたカバー部２５ｃとで構成されている。その他の構成は実施例１と２のものと同じであるので説明を省略する。このように実施しても本発明の目的を達成できる。この場合にはさらに、カバー部２５ｃを上下方向に分けて一方を一方の側板から他方の側板へ、他方を他方の側板から一方の側板に向けてそれぞれ互い違いに折り曲げることによって構成することもできる。尚、この支持部材２５の指示記号２５ｄ、２５ｄのものはヒンジピン用の取付孔であり、２５ｅ、２５ｅのものは連結ピン用の取付孔であり、２５ｆ、２５ｆのものは挿通孔であり、２５ｇ、２５ｇのものは切欠部であり、それぞれ指示記号は異なっても実施例１のものと同じである。
【実施例４】
【００４２】
図１３は支持部材のさらに他の実施例を示し、この実施例４に係る支持部材２６は、天板２６ａと、この天板２６ａの両側部より折り曲げた両側板２６ｂ、２６ｂと、これらの両側板２６ｂ、２６ｂの一方の側板２６ｂから折り曲げてその先端側を他方の側板２６ｂへ当接固定させたカバー部２６ｃとで構成してるが、カバー部２６ｃの長さを長くして舌片２６ｄを設け、この舌片２６ｄで実施例１の受圧部材１０を覆うように構成してある。このように構成すると、実施例１に示したカムスライダー１２の舌片１２ｃを省略できる。また、同時に、実施例１に示したスライダー１３の前面部をも覆い、トルク制御手段の全部を覆うように構成することもできる。尚、この支持部材２６の指示記号２６ｅ、２６ｅのものはヒンジピン用の取付孔であり、２６ｆ、２６ｆのものは連結ピン用の取付孔であり、２６ｇ、２６ｇのものは挿通孔であり、２６ｈ、２６ｈのものは切欠部であり、それぞれ指示記号は異なっても実施例１のものと同じである。このように構成すると、弾性手段やスライダーやカムスライダーが原稿圧着板開閉装の開成時に外部へ露出しないので、外観がより一層すっきりとしたものになるという効果を奏しうる。
【実施例５】
【００４３】
図１４と図１５は原稿圧着板開閉装置の他の実施例を示し、この実施例５に係る原稿圧着板開閉装置３０は、作動部材３１と受圧部材３２と弾性手段３３の構成が異なっている。この実施例５の作動部材３１は、リフト部材３４の天板３４ａの先端側より折り曲げた頂板３４ｂと両側板３４ｃ、３４ｃとの間に、連結ピン３１ａと頂板３４ｂとの間に挟まれて合成樹脂性の作動部材３１が取り付けられている。受圧部材３２は、この実施例５のものは、合成樹脂製のカム部材であり、固定ピン３８とヒンジピン３９によって、装置本体４３上に取り付けた取付部材４０の底板４０ａより立ち上げた両側板４０ｂ、４０ｂの間に固着されてカムスライダー４１と圧接している。また、複数の外径と太さの異なる圧縮コイルスプリングを軸心を共通にして重ね合わされた弾性手段３３、３３がカムスライダー４１とスライダー４２の間に一対設けられ並置されている。この弾性手段３３、３３が実施例１のものと異なり一対あるのは、図示してない自動原稿送り装置側の荷重が加わる側に使用されるものであるからである。その他の構成は、大きさや形状が異なるのみで実施例１のものと実質的に同じである。この実施例５のものにあっても、原稿圧着板４４をリフト部材３４を介して支持する支持部材３５に一対のカバー片３６ａ、３６ａからなるカバー部３６が設けられ、トルク制御手段３７の弾性手段３３、３３及びスライダー４２とカムスライダー４１の一部が外部から見えないように覆っている。
【００４４】
このように実施しても実施例１の作動部材や受圧部材として機能し、本発明の目的を達成できるものである。
【実施例６】
【００４５】
図１６は原稿圧着板開閉装置のさらに他の実施例を示し、この実施例６に係る原稿圧着板開閉装置４５も、作動部材４６の構成が異なっている。この実施例６の作動部材４６は、側面略Ｕ字形状を呈し、リフト部材４７の天板４７ａの先端側より折り曲げた頂板４７ｂの裏側に取付ネジ、或は取付ピン４６ａによって固着されている。この実施例６のものにあっても、支持部材４８の正面側にカバー部４９が設けられ、トルク制御手段５０のとくに弾性手段５１やスライダー５２ａ及びカムスライダー５２ｂの一部が外部から見えないように覆われている。この実施例６に係る原稿圧着板開閉装置４５にあっては、受圧部材５３は取付部材５４に固定ピン５３ａとヒンジピン５４ａで固着された合成樹脂製のカム部材である。
【００４６】
このように実施しても実施例１の作動部材や受圧部材としての機能を果たすことができ、本発明の目的を達成できるものである。
【実施例７】
【００４７】
図１７と図１８は原稿圧着板開閉装置のさらに他の実施例を示し、この実施例７に係る原稿圧着板開閉装置５５は、リフト部材５６を支持部材５７と重なり合う方向へ回転付勢させる付勢手段５８と、トルク制御手段５９の構成が異なっている。図面によれば、リフト部材５６は、その天板５６ａより折り曲げて垂下させた両側板５６ｂ、５６ｂを支持部材５７の天板５７ａの両側から折り曲げて垂下させた両側板５７ｂ、５７ｂへ回転可能に取り付ける連結ピン６０に環巻きさせて、支持部材５７の頂板５７ｃとリフト部材５６の頂板５６ｃとの間に弾設させた捩じりコイルスプリングから成る付勢手段５８によって支持部材５７と重なり合う方向へ回転付勢されている。また、トルク制御手段５９は、実施例１、２、及び５のスライダーを廃し、弾性手段６２の端部が直に支持部材５７の頂板５７ｃに圧接している。支持部材５７にはその両側板５７ｂ、５７ｂより内側へ折り曲げた一対のカバー片６３ａ、６３ａから成るカバー部６３が設けられ、このカバー部６３によりトルク制御手段５９の弾性手段６２及びカムスライダー６４の一部は、外部から見えないように覆われている。さらに、この実施例７に係る原稿圧着板開閉装置５５は、受圧部材６８が、取付部材６５の底板６５ａより立ち上げた両側板６５ｂ、６５ｂ間に取り付けた固定ピン６６に回転可能に取り付けた筒状のローラー６７とで構成されている。尚、この実施例７に係る受圧部材６８は、固定ピン６６を回転可能に両側板６５ｂ、６５ｂ間に軸架させても良い。さらに、この実施例７に係る原稿圧着板開閉装置５５にあっては、支持部材５７のカバー部６３は頂板５７ｃからカムスライダー６４の側に向けて折り曲げ一体的に設けることが可能である。
【実施例８】
【００４８】
図１９は支持部材のさらに他の実施例を示し、この実施例８に係る支持部材７０は、実施例７に係る原稿圧着板開閉装置５５に用いることができるもので、カバー部７１は支持部材７０の天板７０ａより折り曲げた頂板７０ｂよりさらに折り曲げられて両側板７０ｃ、７０ｃに固定され、その前面部を覆っている。このようにカバー部を構成することもできる。
【実施例９】
【００４９】
図２０は本発明に係る原稿圧着板開閉装置さらに他の実施例を示し、この実施例９に係る原稿圧着板開閉装置７５の取付部材７６の底板７６ａからは、該底板７６ａに取り付けられた取付脚部７７が垂設されており、この取付脚部７７が装置本体７８の後部上端に設けた挿通孔７８ａへ上下方向へスライド可能に取り付けられている。そしてカバー部７９は、支持部材８０の両側板８０ｂの下部側に支持部材８０と一体に設けられ、トルク制御手段８１の弾性手段８２とカムスライダー８３を覆っている。また、この実施例９に係る原稿圧着板開閉装置７５においては、原稿圧着板８４は支持部材８０の天板８０ａへ取り付けられる構成である。弾性手段８２は支持部材８０の頂板８０ｃとカムスライダー８３との間に弾設されている。また、この実施例９に係る原稿圧着板開閉装置７５は、原稿が本のような厚物原稿の場合には、原稿圧着板開閉装置７５自体が装置本体７８より上下方向に移動してコンタクトガラス７８ｂ上に載置した厚物原稿の上面を水平に覆うことができるものである。
【００５０】
以上の説明から解るように、本発明は、少なくとも複写機に代表される原稿圧着板を有する各種事務機器の装置本体へ取り付けられる取付部材と、この取付部材に対しヒンジピンを介して回転可能に取り付けられるところの原稿圧着板を直接或は間接的に支持する支持部材と、この支持部材内部に収装されて当該支持部材を原稿圧着板の開成方向へ回転付勢させる弾性手段を備えたトルク制御手段と、を有する原稿圧着板開閉装置に広く実施できるものであり、その他の構成は上述した実施例のものに限定されない。
【００５１】
また、支持部材に設けるカバー部については、要するに支持部材から一体的に設けられれば足り、これも上述した実施例のものに限定されない。
【産業上の利用可能性】
【００５２】
本発明は以上のように構成したので、簡単な構成で、原稿圧着板開閉装置の支持部材に設けたカバー部によって、原稿圧着板を開いた際に支持部材内部に収装させたトルク制御手段の弾性手段や、この弾性手段とスライダーやカムスライダーの全部或は一部が外部から見えないように覆うことができるので、使用時や修理点検時に手を挟んだりする心配がない上に，原稿圧着板を開いた際に体裁も良く、さらに原稿を汚したりする恐れもないので、とくに複写機、印刷機、ファクシミリ、スキャナー等の事務機器の原稿圧着板開閉装置として好適に用いられるものである。
【符号の説明】
【００５３】
１、２０、３０、４５、５５、７５  原稿圧着板開閉装置
２、４３、７８  装置本体
３、４０、５４、６５、７６  取付部材
３ａ、４０ａ、６５ａ、７６ａ  底板
３ｂ、５ｂ、８ｂ、２１ｂ、２５ｂ、２６ｂ、３４ｃ、４０ｂ、５６ｂ、５７ｂ、６５ｂ、７０ｃ、８０ｂ  両側板
４、３９、５４ａ  ヒンジピン
５、２１、２５、２６、３５、４８、５７、７０、８０  支持部材
５ｄ、２１ａ、２５ｃ、２６ｃ、３６、４９、６３、７１、７９  カバー部
６、４４、８４  原稿圧着板
７、３１ａ、６０  連結ピン
８、３４、４７、５６  リフト部材
９、３１、４６  作動部材
１０、３２、５３、６８  受圧部材
１１、３７、５０、５９、８１  トルク制御手段
１２、４１、５２ｂ、６４、８３  カムスライダー
１３、４２、５２ａ  スライダー
１４、３３、５１、６２、８２  弾性手段
３４ｂ、４７ｂ、５６ｃ、５７ｃ、７０ｂ、８０ｃ  頂板
５８  付勢部材
７７  取付脚部
【図１】
2011107485.tif 000003
【図２】
2011107485.tif 000004
【図３】
2011107485.tif 000005
【図４】
2011107485.tif 000006
【図５】
2011107485.tif 000007
【図６】
2011107485.tif 000008
【図７】
2011107485.tif 000009
【図８】
2011107485.tif 000010
【図９】
2011107485.tif 000011
【図１０】
2011107485.tif 000012
【図１１】
2011107485.tif 000013
【図１２】
2011107485.tif 000014
【図１３】
2011107485.tif 000015
【図１４】
2011107485.tif 000016
【図１５】
2011107485.tif 000017
【図１６】
2011107485.tif 000018
【図１７】
2011107485.tif 000019
【図１８】
2011107485.tif 000020
【図１９】
2011107485.tif 000021
【図２０】
2011107485.tif 000022
【図２１】
2011107485.tif 000023